(57)【特許請求の範囲】
【請求項１】
少なくとも一つの無線通信端末装置と、前記無線通信端末装置との間で情報通信可能なプロバイダ設備とを備える通信システムであって、
前記無線通信端末装置は、メッセージ情報及び前記メッセージ情報の出力形式を選択する選択情報を送信する送信手段を備え、
前記プロバイダ設備は、前記メッセージ情報の出力形式を前記選択情報に従って選択する出力形式選択手段と、前記メッセージ情報を選択された出力形式の文字列に変換する文字列変換手段と、文字、数字、及び／又は定型文と送信先に適合するコードとを対応付けるテーブルと、前記メッセージ情報に対応する文字列を構成する文字、数字、及び／又は定型文を送信先にて再現できるように、前記テーブルを参照して、所定のコードに変換するコード変換手段と、変換されたコードを送信する送信手段とを備える通信システム。
【請求項２】
請求項１に記載の通信システムであって、前記プロバイダ設備は、任意の文字列からなる定型文を記憶する第２のテーブルを更に備える、通信システム。
【請求項３】
入力された音声信号を識別しメッセージ情報に変換する音声識別手段と、
文字、数字、及び／又は定型文と送信先に適合するコードとを対応付けるテーブルと、
前記メッセージ情報の文字列を構成する文字、数字、及び／又は定型文を送信先にて再現できるように、前記テーブルを参照して、所定のコードに変換するコード変換手段と、
変換されたコード及び前記メッセージ情報の出力形式を選択する選択情報を受けてこれらを送信する送信手段と、
を備える無線通信端末装置。
【請求項４】
請求項３に記載の無線通信端末装置であって、任意の文字列からなる定型文を記憶する第２のテーブルを更に備える、無線通信端末装置。
【発明の詳細な説明】
【０００１】
【発明の属する技術分野】
本発明は、通信ネットワークを介して接続されたユーザ端末、および、ユーザ端末からの情報に基づき、ポケットベル（ページャ）などの文字あるいは音声による表現を行う無線端末に対して所定の情報を送信する送信サーバを備えた通信システムに関する。
【０００２】
【従来の技術】
近年、携帯電話、パーソナルハンディホンシステム（PHS）、ポケットベル（ページャ）などの個人用の携帯用無線端末が普及している。これら携帯用無線端末では、無線回線を利用して、通話やデータの送受信を実現している。
【０００３】
その一方、インターネットに代表されるコンピュータ通信ネットワークが普及しつつあり、コンピュータ同士で容易にデータ通信をなすことができるようになっている。
【０００４】
【発明が解決しようとする課題】
ところで、携帯電話やＰＨＳ（送信側無線端末）にて、インターネットを介してプロバイダ側のサーバに音声データや文字データを送信し、さらに、このサーバが、受け入れた音声データや文字データに基づき、所定の情報を、受信側無線端末（たとえば、ページャ）に送信する技術が提案されている。この技術において、送信側端末装置が所望の情報を受信側無線端末に伝達できることが望ましい。
【０００５】
たとえば、特開平３−２８９８５４号公報には、受信メール中に音声入力マークを挿入し、受信側では受信メールを読み上げるとともに、音声入力マークが検出されたら読み上げを中止し、音声入力機構を動作可能状態にして返信情報を受け取ることができる電子メールシステムが開示されている。このシステムによれば、受信した電子メールを耳で聞くことができ、さらに、それに対する返事を音声で入力できるので、返信に要する労力を軽減できる。また、音声で入力できるので、電話から返信することが可能になり、出先からの返信も可能になるという電子メールシステムが開示されている。
【０００６】
このシステムでは電子メールのメッセージ情報と音声情報との対応関係は一意であり、メッセージ情報は、たとえば、標準的な音声に変換されて発声される。もちろん、この方法でも情報は伝達される。しかし、情報をより正確に伝達しようとすれば、文字のメッセージ情報と音声情報との違いについても考慮する必要が生じる。すなわち、メッセージ情報は含まれる文字そのものにより伝達すべき意思が表現されるが、音声情報は発声される音声に含まれる文字に加えて、音色の選択、緊迫感の選択、喜怒哀楽の感情表現の選択により表現される意思が微妙に異なる。例えば、同じ表現であっても、はっきりと発声すれば少しきつい言い方になるし、音量を押さえ気味に言えばやさしい言い方になる。したがって、より正確に意思を伝えるためには、音色、緊迫感、喜怒哀楽の感情表現を表現できることが望ましい。
【０００７】
また、送信側無線端末から、プロバイダ側のサーバを介して、他の端末に情報を伝達する場合に、データ量を圧縮するために、単に音声や文字をそのまま送信するのではなく、状況や用途に応じて、音声や文字を変換できるのが好ましい。たとえば、標準語ではなく東北弁、関西弁などの方言あるいは英語、フランス語、ドイツ語、ロシア語、中国語などの言語とすることにより、多様でユーモラスな表現が可能になる。
【０００８】
また、受信端末装置の機種などによらず、ユーザが所望の情報を送信できるのが好ましい。
【０００９】
また、端末とプロバイダ側のサーバのどちらが処理を行うかによっても、処理の性能及び効率が変わるので、適切に役割分担を設定する必要がある。
【００１０】
本発明は、より正確に意思を伝えることができる通信システム及び無線通信端末を提供することを目的とする。
【００１１】
また、本発明は、受信側端末の機種などによらず、所望の情報を伝達できる通信システム及び無線通信端末を提供することを目的とする。
【００１２】
【課題を解決するための手段】
上記の課題を解決するため、本発明に係わる通信システムは、少なくとも一つの無線通信端末装置と、前記無線通信端末装置との間で情報通信可能なプロバイダ設備とを備えた通信システムであって、前記無線通信端末装置は、メッセージ情報及び前記メッセージ情報の出力形式を選択する選択情報を送信する送信手段を備え、前記プロバイダ設備は、前記メッセージ情報の出力形式を前記選択情報に従って選択する出力形式選択手段と、前記メッセージ情報を選択された出力形式の文字列に変換する文字列変換手段と、文字、数字、及び／又は定型文と送信先に適合するコードとを対応付けるテーブルと、前記メッセージ情報に対応する文字列を構成する文字、数字、及び／又は定型文を送信先にて再現できるように、前記テーブルを参照して、所定のコードに変換するコード変換手段と、変換されたコードを送信する送信手段とを備える。
【００１３】
この発明に係る通信システムは、前記選択情報により選択されるものとして、音色の選択、緊迫感の選択、喜怒哀楽の感情表現の選択、言語の選択及び方言の選択のうちの少なくともいずれかを含むものである。
【００１４】
上記選択情報で指定される出力形式には、所定の著名人および／またはキャラクタの口調や声色、所定の感情に基づく抑揚、或いは、所定の方言が含まれる。すなわち、入力された音声が、著名人やアニメーションのキャラクタの口調や声色に変換され、「怒り」、「悲しみ」などの感情に基づく抑揚が付加される。また、入力された音声或いはこれに対応する文字列が、「関西弁」、「江戸弁」または「東北弁」などの対応する音声或いは文字列に変換される。上記抑揚には、怒り、喜び、悲しみ、険悪、恐怖などが含まれる。
【００１５】
この発明に係る通信システムは、前記プロバイダ設備が、前記メッセージ情報の出力形式を前記選択情報に従って選択する出力形式選択手段及び選択された出力形式の音声に変換する音声変換手段を備え、前記出力形式選択手段が、所定の著名人および／またはキャラクタの口調や声色のうちの何れかを選択するように構成され、前記音声変換手段が、選択された口調や声色の音声信号に変換するように構成されたものである。
【００１６】
この発明に係る通信システムは、前記プロバイダ設備が、前記メッセージ情報の出力形式を前記選択情報に従って選択する出力形式選択手段及び選択された出力形式の音声に変換する音声変換手段を備え、前記出力形式選択手段が、所定の感情に基づく抑揚のうちの何れかを選択するように構成され、前記音声変換手段が、選択された抑揚の音声信号に変換するように構成されたものである。
【００１７】
この発明に係る通信システムは、前記抑揚が、怒り、喜び、悲しみ、険悪、恐怖の何れかの感情に基づくものである。
【００１８】
この発明に係る通信システムは、前記プロバイダ設備が、前記メッセージ情報の出力形式を前記選択情報に従って選択する出力形式選択手段及び前記メッセージ情報を選択された出力形式の音声に変換する音声変換手段を備え、前記出力形式選択手段が、所定の方言のうちの何れかを選択するように構成され、前記音声変換手段が、選択された方言による音声信号に変換するように構成されたものである。
【００１９】
この発明に係る通信システムは、前記プロバイダ設備が、前記メッセージ情報の出力形式を前記選択情報に従って選択する出力形式選択手段及び選択された出力形式の文字列に変換する文字列変換手段を備え、前記出力形式選択手段が、所定の方言のうちの何れかを選択するように構成され、前記文字列変換手段が、選択された方言による文字列信号に変換するように構成されたものである。
【００２０】
この発明に係る通信システムは、前記無線送信端末より専用の呼出し音を受信端末装置において鳴動させるときに、前記無線送信端末は呼び出し音情報を送信するものである。
【００２１】
この発明に係る無線通信端末装置は、入力された音声信号を識別しメッセージ情報に変換する音声識別手段と、前記メッセージ情報及び前記メッセージ情報の出力形式を選択する選択情報を受けてこれらを送信する送信手段とを備えたものである。
【００２２】
この発明に係る無線通信端末装置は、前記選択情報により選択されるものとして、音色の選択、緊迫感の選択、喜怒哀楽の感情表現の選択、言語の選択及び方言の選択のうちの少なくともいずれかを含むものである。
【００２３】
本発明によれば、無線通信端末装置にて、音声信号が認識され、かつ、その出力形式が所望のように変換され、変換された音声信号をプロバイダ設備を介して、送信先の他の無線通信端末装置に転送される。このように、送信側である無線通信端末装置にて音声が認識され、入力される音声の音質が確保されるため、音声の認識率を改善することが可能となる。また、出力形式の変換を無線通信端末装置にて実行するため、このような変化に関して、プロバイダ設備の認証を必要としない。
【００２４】
さらに、送信側である無線通信端末装置にて、音声の出力形式の変換まで実行されるため、プロバイダ設備との通信時間を削減することができ、その結果、通話料金を減少させることが可能となる。
【００２５】
このシステムにおいては、出力形式の変換は、プロバイダ設備により実現されるものの、音声認識が送信側の無線通信端末装置にて実行される。このため、音声の認識率を損なうことはない。
【００２６】
この発明に係る通信システムは、前記プロバイダ設備が、前記メッセージ情報の出力形式を前記選択情報に従って選択する出力形式選択手段と、前記メッセージ情報を選択された出力形式の文字列に変換する文字列変換手段と、文字や数字、および／または、定型文と送信先に適合するコードとを対応付けたテーブルと、前記メッセージ情報に対応する文字列を構成する文字、数字、および／または定型文を、送信先にて再現できるように、前記テーブルを参照して、所定のコードに変換するコード変換手段と、変換されたコードを送信する送信手段とを備えるものである。
【００２７】
この発明に係る通信システムは、前記プロバイダ設備が、さらに、任意の文字列からなる定型文を記憶する第２のテーブルを有したものである。
【００２８】
この発明によれば、無線通信端末装置において、入力された音声に対応する文字列を構成する文字や数字の各々が、送信先のページャなどの無線通信端末装置にて表示可能なコードに変換される。したがって、無線通信端末装置は、所望の他の無線通信端末装置に、適切に必要な情報を伝達することができる。他の無線通信端末装置として、ページャ、ファックス、メッセージ受信対応のＰＨＳ端末、メッセージ受信対応の携帯電話、或いは、モバイル端末などが考えられる。
【００２９】
また、本発明の好ましい実施態様においては、無線通信端末装置が、さらに、任意の文字列からなる定型文を記憶する第２のテーブルを有している。これにより、無線通信端末装置のユーザは、所望の定型文を作成して、これを登録することが可能となる。
【００３０】
この発明に係る無線通信端末は、入力された音声信号を識別しメッセージ情報に変換する音声識別手段と、文字や数字、および／または、定型文と送信先に適合するコードとを対応付けたテーブルと、前記メッセージ情報の文字列を構成する文字、数字、および／または定型文を、送信先にて再現できるように、前記テーブルを参照して、所定のコードに変換するコード変換手段と、変換されたコード及び前記メッセージ情報の出力形式を選択する選択情報を受けてこれらを送信する送信手段とを備えたものである。
【００３１】
この発明に係る無線通信端末は、さらに、任意の文字列からなる定型文を記憶する第２のテーブルを備えたものである。
【００３２】
さらに、本発明の目的は、上記構成を備えた無線通信端末装置によっても達成される。
【００３３】
【発明の実施の形態】
本発明の第１の実施の形態．
１．システムの概略説明
以下、添付図面を参照して、本発明の実施の形態につき説明を加える。図１は、本発明の第１の実施の形態にかかる通信システムの概略を示すブロックダイヤグラムである。図１に示すように、通信システム１０は、少なくとも一以上のＰＨＳ(Personal Handy-phone System)端末１２と、ＰＨＳ端末１２からの信号を中継するＰＨＳ基地局１４と、ＩＳＤＮなどの回線網１６と、ＰＨＳ端末１２からＰＨＳ基地局１４を介して受け入れた信号に基づき、他の端末に所定の信号を送信するプロバイダシステム１８と、PSTN／ISDNやインターネットなどから構成される回線網２０、２２、２４と、受信側のメールサーバ２６と、パーソナルコンピュータなどのユーザ端末２８とを備えている。なお、端末１２はＰＨＳに限らず、同様な機能を果たすものであればなんでもよい。また、図１において、回線網１６としてＩＳＤＮが用いられているがこれに限定されるものではない。また、他の回線網についても同様である。
【００３４】
プロバイダシステム１８は、回線網１６と接続されたリモートサーバ３０、回線網２０を介して、加入電話、ＰＨＳ端末および携帯電話（図示せず）に信号を出力するテレフォニ用ゲートウェイサーバ３２、回線網２２を介してメールサーバ２６にメールを送信するメールサーバ３４、並びに、回線網２４を介して、ページャ、メッセージ受信可能な携帯端末或いはファックスに、文字列などを示す信号を送信するページャ送信サーバ３６を有している。
【００３５】
図１の通信システムは、音声でメッセージを再生する場合、文字でメッセージを送信する場合、電子メールを送信する場合の計３つの動作モードをもつ。これらのモードについてさらに詳しい機能ブロック図を、図２〜図４に示す。
【００３６】
図２は音声でメッセージを再生する場合の機能ブロック図である。図２において、マイク１２０１で変換された音声信号は、音声認識部１２０２で送信文字列（メッセージ情報）に変換された後、電子メール送信部１２０３に入力される。また、電話番号等の送信相手先を示す送信情報入力も入力される。さらに、送信電子メール送信部１２０３には、メッセージ情報の出力形式を選択するための選択情報も入力される。例えば図２に示すように、方言、言語などの文字列の種類を選択するための文字列種類選択情報、及び、感情などの音色の種類を選択するための音色種類選択情報である。これらのデータは所定のフォーマットに取り纏められて、モデム／ＴＡ（Terminal Adapter）／ＰＩＡＦＳ１２０４に出力され、送信機１２０５を介して送信される。
【００３７】
通信網を介してプロバイダシステム１８で受信されたメッセージ情報及びその選択情報は、音声でメッセージを再生する場合、リモートサーバ３０、メールサーバ３４を介してゲートウエイサーバ３２に入力される。その電子メール受信部３２０１で受信されたデータは、送信文字列、文字列変換種類データ、音色変換種類データ、及び送信情報に分離される。文字列変換部３２０２では、送信文字列に対し、データベース３２０３に基づき文字列変換種類データで指定された変換、例えば、日本語を英語に翻訳したり、標準語を関西弁に変換する（この点については後述する）。次に、音声合成・音色変換部３２０４では、データベース３２０５に基づき変換された文字列に基づき公知の音声合成を行いデータを音声信号に変換するとともに、音声変換種類データに基づき所定の表現（感情表現など）を行う（この点については後述する）。その後、網接続装置３２０６、ＰＳＴＮ２０を介して、指定された相手に音声信号が送出される。
【００３８】
図３は、文字でメッセージを送信する場合の機能ブロック図である。端末１２の構成は図２のものとほぼ同じであるが、音色種類選択情報が電子メール送信部１２０３に入力されない点が異なる。これは、文字の場合、音色表現を行うことができないためである。
【００３９】
通信網を介してプロバイダシステム１８で受信されたメッセージ情報及びその選択情報は、文字でメッセージを送信する場合、リモートサーバ３０、メールサーバ３４を介してページャ送信サーバ３６に入力される。ページャ送信サーバ３６は、図２のゲートウエイサーバ３２とほぼ同じであるが、図３の場合上述のように音声種類選択情報がないことに対応して、音声合成・音色変換処理は行われない。
【００４０】
図４は、電子メールを送信する場合の機能ブロック図である。端末１２において音色種類選択情報が電子メール送信部１２０３に入力されないのは、図３の場合と同様である。
【００４１】
通信網を介してプロバイダシステム１８で受信されたメッセージ情報及びその選択情報は、電子メールを送信する場合、リモートサーバ３０を介してメールサーバー３４に入力される。文字列変換部３４０２で所定の変換がなされた文字列は、電子メール送信部３４０４によりインターネット２２に送信される。
【００４２】
図１〜図４に示した通信システムの動作について簡単に説明してきた。以上の説明から明らかなように、このシステムは、送信端末側で、受信側の出力形式を選択できる。また、このシステムは、メッセージ送信側（端末）で受信側の出力形式（電子メール、ボイスメール、音色等）を指定する情報を送信し、受信側（プロバイダ設備）で出力形式指定情報に基づき所定の形式のメッセージを出力するものである。このシステムによれば、電子メール、ボイスメールにおいて、その音色、緊迫感、喜怒哀楽の感情表現、及び方言などの癖のある表現に変換してメッセージを出力することができる。
【００４３】
なお、図１〜図４において、端末側に音声認識（音声データ変換）終端を設けたのは次の理由による。データを圧縮して送ることができるので、音声信号をそのまま送信する場合と比べて接続時間が短くなり、経済的である。電子メールの形で一括して送信するので、サーバ内に電子メール作成用音声認識／変換手段を設けた場合に比べて、極めて短時間の処理ですむ。特に、このシステムの場合は、送信側端末で、受信側での出力形式（音質等）を決めるので、端末に音声認識／変換手段を設けることは特に重要である。
【００４４】
２．システム構成要素の動作説明
次に、システムを構成する各要素の動作について説明する。
【００４５】
ＰＨＳ端末１２は次の機能を備える。
【００４６】
（１）音声認識機能を備える。このため、キーボードや文字入力用パッドが不要となり、端末の小型化が可能となる。
【００４７】
（２）ＲＣＲ  ＳＴＤ２８（第2世代コードレス電話システム標準規格）の機能を備える。
【００４８】
（３）ＰＩＡＦＳによる３２ｋｂｐｓデータ通信機能を備える。
【００４９】
（４）ＰＰＰ及びＴＣＰ／ＩＰを備える。
【００５０】
（５）ＳＭＴＰの機能を備え、電子メールの送信が可能である。
【００５１】
図５は、第１の実施の形態にかかるＰＨＳ端末１２の構成をより詳細に示すブロックダイヤグラムである。図５に示すようにＰＨＳ端末１２は、利用者が発した音声を受け入れるマイク４０、音声信号などをアンテナ４６を介して送信し、或いは、アンテナを介してこれを受信する送受信機４２、受信した音声信号に基づく音声を発するスピーカ４４、アンテナ４６、ＰＨＳ端末１２のための必要なプログラムに基づき、ＰＨＳ端末１２の動作を制御する制御部４８、マイク４０に与えられた音声信号を認識して、発せられた音声（文字列）を特定する音声認識部５０、プログラムや必要なデータを記憶するメモリ５４、テンキーや種々のファンクションキーからなる入力装置５６、並びに、ＬＣＤからなる表示装置５８を有している。
【００５２】
音声認識部５０は、受け入れた音声信号を認識して、音声を構成する文字列を特定する。また、制御部４８は、認識された文字列を解析して、当該文字列の構造を解析した後に、文字列に、選択された変換を施して、変換された文字列を作成する。なお、文字列の変換部は、端末あるいはサーバのとちらにあってもよい。後述するように、本実施の形態においては、この変換には、入力された文字列を、(１)対応する方言に変換するもの、(２)著名人やアニメなどのキャラクタの物まねの口調および／または声色に変換するもの、(３)その抑揚を指定されたものに変換するもの、（４）翻訳するもの、が含まれる。
【００５３】
これらのうち、(２)や(３)を実現するためには、たとえば、特開平２−106799号公報および／または特開平２−236600号公報に記載された手法を用いることが可能である。また、(１)を実現するために、後述するようにメモリ５４内には所定の変換テーブルが設けられている。
【００５４】
このように構成されたＰＨＳ端末１２の作動につき以下により詳細に説明する。通常、ＰＨＳ端末１２において、利用者がマイク４０に与えた音声信号は、送受信機４２により、アンテナを介してＰＨＳ基地局１４に送信され、さらに、当該基地局１４を介して、先に入力した宛先（ダイヤル番号）の加入電話、ＰＨＳ端末などに転送される。また、ＰＨＳ基地局１４からの音声信号が、送受信機４２に受け入れられ、対応する音声が、スピーカ４４から発せられる。
【００５５】
このように、通常の通話のほか、本実施の形態にかかるＰＨＳ端末１２は、プロバイダシステム１８を介して、以下のような種々の情報を伝達することが可能である。
【００５６】
すなわち、(Ａ)テレフォニ用ゲートウェイサーバ３２を介して、音声を他の加入電話、ＰＨＳ端末或いは携帯電話に伝達する。(Ｂ)メールサーバ３４を介して、ユーザ端末２８に電子メールを伝達する。(Ｃ)ページャ送信サーバ３６を介して、ページャ（ポケットベル）、メッセージ受信可能な携帯端末、ファックスなどに所定のメッセージを伝達する。
【００５７】
したがって、以上の３つの経路による情報の伝達のためにＰＨＳ端末１２においては、通常の通話モードのほか、テレフォニ用ゲートウェイサーバを用いた音声の伝達を実行するモード（以下、「ボイスモード」と称する。）、電子メールの伝達を実行するモード（以下、「メールモード」と称する。）およびメッセージの伝達を実行するモード（以下、「メッセージモード」と称する。）の何れかにて作動することができる。
【００５８】
また、ボイスモードの下では、上述したように、ユーザが発した音声を、(１)対応する方言に変換し、(２)物まねの口調および／または声色に変換し、或いは、(３)その抑揚を変換することができるようになっている。同様に、メールモード及びメッセージモードの下では、ユーザが発した音声を(１)対応する方言に変換したようなメールを作成することができるようになっている。
【００５９】
(Ａ)ボイスモードの下でのＰＨＳ端末およびこれに応答したプロバイダシステムの作動
まず、ボイスモードの下でのＰＨＳ端末などの作動につき説明を加える。図６は、ボイスモードの下で実行される処理を示すフローチャートである。図６の処理は、入力装置５６のうちのモード設定キー（図示せず）の操作により起動される。まず、ユーザは、マイク４０に向かって所望の文字列（文章）を発声する（ステップ３０１）。このユーザにより発せられた音声は、音声認識部５０に伝達され、音声認識部５０が入力された音声を認識し、この文字列（文章）を構成する文字や数字を特定する（ステップ３０２）。特定された文字や数字に関する情報は、制御部４８によりメモリ５４の所定の領域に記憶される。
【００６０】
次いで、ユーザは、入力装置５６のうちの所定のファンクションキー（図示せず）を操作して、送信する音声の抑揚を示す感情情報を指定する（ステップ３０３）。本実施の形態においては、抑揚には、「怒り」、「喜び」、「悲しみ」、「険悪(嫌悪）」、「恐怖」が含まれる。
【００６１】
音声における感情の表現方法について説明する。公知の文献、岡本勝規他、「基本感情を表現する音響特徴抽出の一検討」、１９９３年電子情報通信学会春季大会の論文番号ＳＡ−６−３によれば、音声における感情を表す要素として、時間構造・音圧・ピッチ周期・スペクトラム包絡などがある。「悲しみ」「無感情」「嫌悪」「喜び」「怒り」の感情の音声についてその母音ごとに分析した結果、怒りと喜びが、無感情に比べピッチ周期が短くなっており、個々の母音の変動も非常に似ている。また、悲しみは無感情に比べてピッチ周期が長く、個々の母音の変動も少ない。また、全母音区間で分析した結果、怒りと喜びは近いピッチ周期であるが、怒りの方が、より高調波成分の影響が大きいと言えた。これらの結果は同論文の図５にまとめられている。すなわち、高周波パワーとピッチ周期とを特徴量にとれば、「悲しみ」は最も小さな高周波パワーと最も長いピッチ周期をもつ。これに対して「怒り」は最も大きな高周波パワーと最も短いピッチ周期をもつ。「無感情」「嫌悪」「喜び」はこれらの間にくる。おおざっぱに言って、高周波パワー対ピッチ周期平面において、「悲しみ」「無感情」「嫌悪」「喜び」「怒り」の順番に並ぶ。したがって、合成された音声において感情を表現しようとするとき、例えば、その感情に応じて高周波パワーとピッチ周期を上記のように適宜選択すればよい。
【００６２】
その後に、ユーザは、再度ファンクションキー（図示せず）を操作して、送信する音声の方言、並びに、物まねの口調／声色を示す方言／声色情報を指定する（ステップ３０４）。この実施の形態において、方言には、たとえば、「関西弁」、「京都弁」、「江戸弁」、「東北弁」などが含まれ、その一方、口調／声色には、著名人の口調／声色、アニメーションのキャラクタの口調／声色が含まれる。
【００６３】
また、方言は、上述した手法に加えて、メモリ５４に設けられた変換テーブルを用いて実現することができる。方言に関して、メモリ５４には、標準語のダイアログに対応する各方言ごとの言い回しが記憶された方言変換テーブルが設けられている。たとえば、「ありがとうございます」というダイアログに対して、関西弁では「毎度おおきに」という語句を示すデータが記憶されている。また、声色に対しては、メモリ５４には、各音素ごとに、著名人やアニメーションのキャラクタの音声データが記憶されている。
【００６４】
メモリ５４に記憶されたデータを用いて、変換された音声は、制御部４８によりメモリ５４の他の所定の領域に一時的に記憶される。次いで、ユーザが送信先を指定して（ステップ３０６）、送信を指示することにより、送受信機４２内のデータ送信部６０が起動され、制御部４８によりメモリ５４内の他の所定の領域から読み出された音声（音声データ）がデータ送信部６０に与えられ、データ送信部６０により、これがアンテナ４６を介して、ＰＨＳ基地局１４に伝達される（ステップ３０７）。なお、送信されるデータには、音声データ本体のほか、音声であること（すなわち、ボイスモードにて作成されたデータであること）を示すヘッダが付けられている。
【００６５】
また、ステップ３０６において、送信時刻を指定しても良い。この場合には、指定された時刻にステップ３０７が実行される。また、ステップ３０６において、送信する情報の優先度を指定しても良い。たとえば、４つの優先度（１：最優先、２：優先、３：通常、４：いつでも良い）を設定できるようにして、これをデータに付加して、送信サーバ１８に伝達するように構成しても良い。この場合に、送信サーバにおいては、音声を宛先のＰＨＳ端末などに伝達する際に、まず、この優先度を相手に伝えるのが好ましい。
【００６６】
ＰＨＳ基地局１４は、受け入れたデータを回線網１６を介してプロバイダシステム１８に転送する。プロバイダシステム１８においては、まず、リモートサーバ３０がデータを受け入れ、メールサーバ３４に伝達する。メールサーバ３４は、データのヘッダを調べて、これがボイスモードの下で作成されたものであることを判断し、この判断にしたがって、データをテレフォニ用ゲートウェイサーバ３２に転送する。テレフォニ用ゲートウェイサーバ３２は、これに応答して、与えられたデータ（音声データ）を、宛先である加入電話、ＰＨＳ端末或いは携帯電話に送信する。
【００６７】
このようにして、ＰＨＳ端末１２にて作成された、抑揚や口調／声色が変更され、および／または、対応する方言に変換された音声が、プロバイダシステム１８を介して、他の加入電話、ＰＨＳ端末或いは携帯電話に伝達される。
【００６８】
(Ｂ)メールモードの下でのＰＨＳ端末およびこれに応答したプロバイダシステムの作動
以下、文字の変換を端末、サーバで行う例を示す。
【００６９】
次に、メールモードの下でのＰＨＳ端末などの作動につき説明を加える。図７は、メールモードの下で実行される処理を示すフローチャートである。図７の処理は、入力装置５６のうちのモード設定キー（図示せず）の操作により起動される。図７において、ステップ４０１、４０２の処理は、図６のステップ３０１、３０２の処理にそれぞれ対応するため、その説明は省略する。入力された音声に対応する文字列（文章）を構成する文字や数字が特定された後に、ユーザは、ファンクションキー（図示せず）を操作して、送信する音声を変換すべき方言を指定する（ステップ４０３）。ボイスモードと同様に、このメールモードの下においても、方言には、たとえば、「関西弁」、「京都弁」、「江戸弁」、「東北弁」などが含まれる。
【００７０】
ステップ４０３において方言の指定が終了すると、制御部４８は、メモリ５４中の方言変換テーブルを参照して、関連するダイアログを対応する方言のものに変換する（ステップ４０４）。文字列の変換が終了すると、ユーザは送信先を指定するとともに、その送信を指示する（ステップ４０５、４０６）。これらステップ４０５、４０６の処理は、図６のステップ３０６、３０７の処理にそれぞれ対応するため、詳細な説明は省略する。なお、送信されるデータには、文字列のデータ本体のほか、これがメールであること（すなわち、メールモードにて作成されたデータであること）を示すヘッダが付けられている。
【００７１】
ＰＨＳ基地局１４は、受け入れたデータを回線網１６を介してプロバイダシステム１８に転送する。プロバイダシステム１８においては、まず、リモートサーバ３０がデータを受け入れ、メールサーバ３４に伝達する。メールサーバ３４は、データのヘッダを調べて、これがメールモードの下で作成されたものであることを判断し、この判断にしたがって、メールの宛先であるユーザ端末２８は、メールサーバ２６により受理されたメールを受け取ることにより、ＰＨＳ端末１２にて作成された文字列を受け入れることが可能となる。
【００７２】
このようにして、ＰＨＳ端末１２にて作成された、対応する方言に変換された音声が、プロバイダシステム１８を介して、他のユーザ端末２８に伝達される。なお、ボイスモードの場合と同様に、ステップ４０５において送信時刻や優先度を設定できるように構成しても良い。
【００７３】
(Ｃ)メッセージモードの下でのＰＨＳ端末およびこれに応答したプロバイダシステムの作動
次に、メッセージモードの下でのＰＨＳ端末の作動につき説明を加える。このモードの下でのＰＨＳ端末の処理は、図７に示すものと略同様である。ただし、送信されるデータには、メッセージのデータ本体のほか、これがメッセージであること（すなわち、メッセージモードにて作成されたデータであること）を示すヘッダが付けられる。
【００７４】
ＰＨＳ端末１２からのデータを受理したＰＨＳ基地局１４は、受け入れたデータを回線網１６を介してプロバイダシステム１８に転送する。プロバイダシステム１８においては、まず、リモートサーバ３０がデータを受け入れ、メールサーバ３４に伝達する。メールサーバ３４は、データのヘッダを調べて、これがメッセージモードの下で作成されたものであることを判断し、この判断にしたがって、データをページャ送信サーバ３６に転送する。ページャ送信サーバ３６は、これに応答して、与えられたデータ（メッセージ）を、宛先であるページャなどに送信する。
【００７５】
もちろん、メッセージモードの下においても、他のモードの場合と同様に、ＰＨＳ端末において送信時刻や優先度を設定し、プロバイダシステム１８においてこれに応答して作動できるように構成しても良い。
【００７６】
３．操作例
この発明の理解を助けるために、操作例を含む処理の例を示す。
【００７７】
＜端末における処理＞
（１）まず、端末の利用者は、ＰＨＳ端末に対して予め以下の情報を登録しておく。
【００７８】
ＰＰＰ接続先電話番号
ＰＰＰアカウント名：ＰＰＰ接続する際に必要となるアカウント名
ＰＰＰパスワード：ＰＰＰ接続する際に必要となるパスワード
User：本サービスの利用者であることを証明するための利用者名
Pass：本サービスの利用者であることを証明するためのパスワード
Mail1：送信が成功した場合の送信レポート先の電子メールアドレス。指定されていない場合は、送信成功時にレポートを行わない。また、省略時はメールが送信されない。
【００７９】
Mail2：送信が失敗した場合の送信レポート先の電子メールアドレス。指定されていない場合は、送信失敗時にレポートを行わない。また、省略時はメールは送信されない。
【００８０】
（２）利用者は、ＰＨＳ端末を音声認識モードにする。
【００８１】
（３）利用者は、ＰＨＳ端末に対して発声する（上記のＳ３０１に相当）。
【００８２】
（４）利用者は、ＰＨＳ端末の音声認識モードを停止する。
【００８３】
（５）発声者がＰＨＳ端末にデジタル的に記録され、音声認識が行われ、文字化される（上記Ｓ３０２に相当）。この文字をメッセージとして端末内に保存しておく。
【００８４】
（６）利用者は、ＰＨＳ端末に対して以下の情報を指示した後、送信を指示する。
【００８５】
Number：送信先端末の電話番号を書く。例外として、type１がmailの場合には、電子メールの宛先を書く（例：isao@xxx.yy.jp）。
【００８６】
Type1：送信先を指定する。以下のいずれかとなる。
【００８７】
Voice：音声（Telephony  Gateway  Server  １（ゲートウエイサーバー３２に相当）へ）。
【００８８】
Mail：電子メール（Mail  Server  １（メールサーバー３４に相当）へ）。
【００８９】
Message：メッセージ送信。
【００９０】
Type2：type１のタイプをさらに詳しく指定する。次のいずれかになる。
【００９１】
type１がvoiceの場合：音色を指示する。例えば、アニメの主人公の声。
【００９２】
type１がmailの場合：指定しない。
【００９３】
type１がmessageの場合：ポケベルの機種、FAX、携帯電話機種、PHS事業者を指定する。
【００９４】
Password：端末にパスワードが設定されている場合に指定する。省略可能である。
【００９５】
Priority：送信するメッセージの優先度を書く。例えば、１：最優先、２：優先、３：通常、４：いつでもよい、のいずれかである。
【００９６】
Data１：type１がvoiceの場合、感情情報に関するデータを指定する。例えば、okori、yorokobi、kennaku、kyoufu、normalのいずれかである（上記Ｓ３０３に相当）。
【００９７】
Data２：方言（例：関西弁）、くせ（例：有名人の特有の言い回し）のデータを指定する（上記Ｓ３０４に相当）。例えば、kansaiである。
【００９８】
Time：送信時刻を書く。９月１３日１０時０分は09131000と記述する。省略されたときは即時送信となる。
【００９９】
（７）ＰＨＳ端末は、ＰＰＰおよびＴＣＰ／ＩＰの機能を用いてリモートサーバ３０に接続する（上記Ｓ３０６に相当）。この際に、ＰＰＰアカウント名、ＰＰＰパスワードを使用する。
【０１００】
（８）ＰＨＳ端末は、前記内容をＳＭＴＰを用いてメールサーバ３４に電子メールを送信する（上記Ｓ３０７に相当）。電子メールの内容は例えば、図８のようになる。
【０１０１】
＜メールサーバ１における処理＞
メールサーバでは、type１の内容によりメールを転送する。
【０１０２】
（１）type１がvoiceの場合：送られてきたメールの内容を所定のアドレス（ゲートウエイサーバー３２）宛てに転送する。
【０１０３】
（２）type２がmailの場合：送られてきたメールの内容をtype２で指定された宛先に転送する。メールの内容は、messageで指定されたものとなる。
【０１０４】
（３）type３がmessageの場合：送られてきたメールの内容を所定のアドレス（ページャ送信サーバ３６）宛てに転送する。
【０１０５】
＜ゲートウエイサーバにおける処理＞
（１）図９のようなメールが、メールサーバ３４から送られてくる。
【０１０６】
（２）userとpasswordをチェックして、正当な利用者かどうかをチェックする。
【０１０７】
（３）timeで指定した時間になると、以下の処理を行う。
【０１０８】
（４）numberで指定された電話番号に電話をかける。
【０１０９】
（５）電話がつながるまで待つ。Ｎ回コールしても相手が電話に出ない場合、あるいは話し中の場合は、Ｍ分後にかけ直し、Ｐ回かけ直してもつながらない場合は、mail２で指定されたメールアドレスに送信失敗の旨を返送する。
【０１１０】
（６）priorityで指定された優先度を音声で再生する。
【０１１１】
（７）messageで指定されたメッセージをtype２で指定された音色で再生する。漢字のメッセージの場合は、漢字仮名文字変換を行った上で再生する。
【０１１２】
（８）（７）で再生した音声をdata１の感情に対応した変換フィルタを通す。このフィルタは、ニューラルネットワークやＤＳＰで実現することができる。
【０１１３】
（９）（８）の音声をスピーカで再生する。再生が終わったら、電話を切り、mail１で指定されたメールアドレスに送信成功の旨を返送する。再生が失敗したら、mail２で指定されたメールアドレスに送信失敗の旨を返送する。Type２で規定された音色は、あらかじめサーバに記録されている。そのフォーマットの例を図１２に示す。
【０１１４】
＜メールサーバ２における処理＞
（１）図１０のようなメールがメールサーバから送られてくる。
【０１１５】
（２）userとpasswordをチェックして、正当な利用者かどうかをチェックする。
【０１１６】
（３）timeで指定した時間になると、次の動作を行う。
【０１１７】
（４）numberで指定した内容を宛先とし、messageで指定した内容を本文として、電子メールを送信する。また、本文中に「優先度は通常です」という一文を付加することにより、優先度の情報を相手に送信することができる。
【０１１８】
（５）送信が成功したら、mail１のメールアドレスに送信成功の旨を返送する。送信が失敗したら、mail２のメールアドレスに送信失敗の旨を返送する。
【０１１９】
＜ページャ送信サーバにおける処理＞
（１）図１１のようなメールがメールサーバから送られてくる。
【０１２０】
（２）userとpasswordをチェックして、正当な利用者かどうかをチェックする。
【０１２１】
（３）timeで指定した時間になると、次の動作を行う。
【０１２２】
（４）numberで指定した内容を宛先とし、messageで指定した内容の本文をtype２で指定された機種のフォーマットに変換して送信する。その際に、passwordでパスワードが指定されていたら、送信時にパスワードを指定する。
【０１２３】
（５）送信が成功したら、mail１で指定されたメールアドレスに送信成功の旨を返送する。送信が失敗したら、mail２で指定されたメールアドレスに送信失敗の旨を返送する。
【０１２４】
＜画面上における操作例＞
端末が表示画面をもつとき、画面を見ながら操作できるように構成してもよい。画面に基づく操作例を図１３〜図１７に示す。
【０１２５】
まず、音声、電子メール／ＦＡＸ、文字のいずれの方法で送信するかを選択する（図１３の画面Ｐ１参照）。マウスなどのポインタでクリックすることにより選択する。この選択方法は以下においても同様である。選択をやり直すときは「やり直し」をクリックし、次に進むときは「次へ」をクリックする。
【０１２６】
文字を選択したときは、送信先を、ＰＨＳ、携帯電話、ポケベルのいずれかから選択する（図１３の画面Ｐ２参照）。選択をやり直すときは「やり直し」をクリックし、前のメニューを再度選択するときは「前ページへ」をクリックし、次に進むときは「次へ」をクリックする。
【０１２７】
送信先を選択したときは、事業者を、事業者１、事業者２、事業者３のいずれかから選択する（図１３の画面Ｐ３参照）。なお、事業者の数は、上記のＰＨＳ、携帯電話、ポケベルのどれを選択したかに依存して変わる。選択をやり直すときは「やり直し」をクリックし、前のメニューを再度選択するときは「前ページへ」をクリックし、次に進むときは「次へ」をクリックする。ここでの選択により、入力可能文字種、文字数の制限、定型文の種類などを限定する。
【０１２８】
事業者を選択したとき、あるいは、図１３の画面Ｐ１の音声あるいは電子メール／ＦＡＸを選択したときは、次にメッセージを作成する（図１４の画面Ｐ４参照）。ここでは、音声認識、キー入力、メニューのいずれでも入力可能である。音声認識によりメッセージを作成するときは、「音声認識」をクリックし、送信すべき音声を入力する。すると、音声認識結果が画面に表示される。図１４の画面Ｐ４において、「きょうのうちあわせは１０じからですおくれないでくださいねそれでは」というメッセージが表示されている。また、キーボードでこの文字列を修正可能である。メニュー入力するときは、同画面の「定型文プルダウンメニュー」をクリックし、複数の定型メッセージを表示させ、これらのうちのいずれかをクリックすることにより選択する。選択をやり直すときは「やり直し」をクリックし、前のメニューを再度選択するときは「前ページへ」をクリックし、次に進むときは「次へ」をクリックする。
【０１２９】
「次へ」がクリックされるとメッセージが評価され、入力できない文字がある場合は、その旨のメッセージが表示され、全文再入力するか、あるいは入力できない部分のみ再入力しなければならない。
【０１３０】
入力されたメッセージに入力できない文字がないときは、その文字列がサブ画面に表示される（図１４の画面Ｐ５参照）。前のメニューを再度選択するときは「前ページへ」をクリックし、次に進むときは「次へ」をクリックする。「次へ」をクリックしたときは、音声を選択しているときは図１５の画面に、電子メール／ＦＡＸを選択しているときは図１６の画面に、文字を選択しているときは図１７の画面にそれぞれ進む。
【０１３１】
音声を選択しているときは、図１５の画面Ｐ６で感情、音色及び言語／方言を選択する。感情は、通常、怒り、喜び、悲しみ、険悪、恐怖のいずれかから選択する。音色は、通常、音色１〜音色４のいずれかから選択する。言語／方言は、通常、英語、中国語、東北弁、関西弁のいずれかから選択する。選択をやり直すときは「やり直し」をクリックし、前のメニューを再度選択するときは「前ページへ」をクリックし、次に進むときは「次へ」をクリックする。
【０１３２】
次に、送信の優先度及び送信先等を指定する（図１５の画面Ｐ７参照）。優先度は五段階ある。なお、優先度を、数字で表示することも可能であるし、Urgent、ASAP、通常、for your reviw、please commentのように文字で表示することも可能である。送信先番号、必要なパスワード、送信日時をキーボードから入力する。パスワード及び送信日時は省略可能であり、送信日時を省略したときは直ちに送信される。また、メッセージ送信が成功あるいは失敗したときの通知先を指定することもできる。選択をやり直すときは「やり直し」をクリックし、前のメニューを再度選択するときは「前ページへ」をクリックし、送信するときは「送信」をクリックする。
【０１３３】
電子メール／ＦＡＸを選択しているときは、、図１６の画面Ｐ８で感情及び言語／方言を選択する。感情は、通常、怒り、喜び、悲しみ、険悪、恐怖のいずれかから選択する。言語／方言は、通常、英語、中国語、東北弁、関西弁のいずれかから選択する。選択をやり直すときは「やり直し」をクリックし、前のメニューを再度選択するときは「前ページへ」をクリックし、次に進むときは「次へ」をクリックする。
【０１３４】
次に、送信の優先度及び送信先等を指定する（図１６の画面Ｐ９参照）。この処理は上述の場合と同様であるので、その説明は省略する。
【０１３５】
文字を選択しているときは、図１７の画面Ｐ１０が表示される。図１７の画面Ｐ１０、Ｐ１１の処理は、電子メール／ＦＡＸの場合と同様であるので、その説明は省略する。
【０１３６】
本実施の形態によれば、ＰＨＳ端末が、入力した音声を認識し、認識した音声（或いは文字列）を、所定の形式（たとえば、方言、抑揚、口調／声色）に変換し、変換された音声を送信サーバを介して、他の端末（ＰＨＳ端末などの無線端末、パーソナルコンピュータ、ページャ或いはファックス）に伝達している。このように、送信側であるＰＨＳ端末にて上記処理が実行され、入力される音声の音質が確保されているため、音声の認識率を改善することが可能となる。また、変換などの処理を送信側のＰＨＳ端末にて実行しているため、プロバイダシステム（サーバ）側にて変換する場合と比較すると、ユーザの認証を必要としないという効果を得ることが可能となる。また、プロバイダシステム（サーバ）側にて変換処理を実行していないため、ＰＨＳ端末の通話料金を減少することが可能となる。
【０１３７】
本発明の第２の実施の形態．
次に、本発明の第２の実施の形態につき説明を加える。この実施の形態においては、音声認識、および、音声の変換が、ＰＨＳ端末の側にて実行されるのではなく、プロバイダシステム（サーバ）の側にて実行されている。すなわち、図５のＰＨＳ端末の構成要素のうち、変換部およびメモリ５４中の関連するテーブルが送信サーバ１８の側に設けられる。
【０１３８】
このように構成されたシステムにおいては、ＰＨＳ端末１２は、(Ａ)ボイスモード、(Ｂ)メールモードおよび(Ｃ)メッセージモードの何れのモードの下においても、図１８（ａ）に示すような処理を実行する。
【０１３９】
図１８（ａ）において、ステップ５０１およびステップ５０２は、図６のステップ３０１およびステップ３０２に対応するため、その説明は省略する。入力された音声に対応する文字列（文章）を構成する文字や数字が特定された後に、ユーザは、ファンクションキー（図示せず）を操作して、送信する情報に付加する各種情報を設定する（ステップ５０３）。ここで設定される情報には、(Ａ)ボイスモード、(Ｂ)メールモードおよび(Ｃ)メッセージモードの設定のほか、(Ａ)ボイスモードを設定した場合には、感情情報の設定、方言の設定、および、口調／声色の設定が含まれ、その一方、(Ｂ)メールモード或いは(Ｃ)メッセージモードの設定の場合には、方言の設定が含まれる。また、ここで、送信時刻や優先度を設定しても良い。
【０１４０】
各手段情報が設定された後に、ユーザは送信先を指定するとともに、その送信を指示する（ステップ５０４、５０５）。これらステップは、図６のステップ３０６、３０７にそれぞれ対応するため、その詳細な説明は省略する。ここで、送信されるデータには、文字列のデータ本体の他、設定されたモードを示すヘッダや各種情報（感情情報や方言など）が設けられている。
【０１４１】
このようなデータを受け入れたプロバイダシステム１８は、図１８（ｂ）に示す処理を実行する。すなわち、受け入れた文字列のデータを、付加された各種情報にしたがって所定の形式のデータに変換する（ステップ５１１）。
【０１４２】
たとえば、ヘッダにより(Ａ)ボイスモードであることが示されている場合には、これを、付加された情報（方言、抑揚、および／または、口調／声色）に基づいた音声データに変換する。或いは、ヘッダにより(Ｂ)メールモード或いは(Ｃ)メッセージモードであることが示されている場合には、これを付加情報（方言）に基づく文字列データに変換する。このようにして送信すべきデータが得られた後に、上記モードに基づき、テレフォニ用ゲートウェイサーバ３２、メールサーバ３４およびページャ送信サーバ３６を介して、必要な宛先に送信する（ステップ５１２）。
【０１４３】
本実施の形態によれば、音声や文字の変換は、送信サーバの側にて実行されるものの、音声認識は、ＰＨＳ端末１２にて実行されるため、第１の実施の形態と同様に、認識率を改善することが可能となる。
【０１４４】
第３の実施の形態．
次に、本発明の第３の実施の形態に付き説明を加える。この実施の形態においては、プロバイダシステム１８のページャ送信サーバを介して、ＰＨＳ端末１２にて作成されたメッセージを、他のページャなどに送信する際に、ページャの機種などを考慮したデータを、ＰＨＳ端末１２が送信できるようになっている。
【０１４５】
図１９は、第３の実施の形態にかかる通信システムの構成を示すブロックダイヤグラム、図２０は、第３の実施の形態にかかるＰＨＳ端末の構成を示すブロックダイヤグラムである。この実施の形態においては、通常の通話のほか、(Ｂ)メールを送信するメールモード、および、(Ｃ)ページャなどにメッセージを送信するメッセージモードにて作動できるようになっている。もちろん、第１および第２の実施の形態のように、(Ａ)ボイスモードあるいは（Ｂ）メールモードにて作動可能であっても良い。
【０１４６】
図１９に示すように、この通信システム１００にかかるプロバイダシステム１８のページャ送信サーバ３６には、回線網２４を介して、各種のページャサービス業者の送信設備７０〜７２が接続できるようになっている。またページャ７６は、対応するページャサービス業者の送信設備（たとえば、符号７０）から送信されたデータ（メッセージ）を受信できるようになっている。
【０１４７】
図２０において、第１の実施の形態と同一の構成要素には、同一の符号を付している。第３の実施の形態にかかるＰＨＳ端末１１２は、マイク４０、送受信機４２、スピーカ４４、アンテナ４６、音声認識部５０、入力装置５６および表示装置５８のほか、ＰＨＳ端末１２全体を制御する制御部１４８、プログラムのほか必要なデータを記憶したメモリ１５４および入力のためのガイドを作成するガイド作成部１６０を有している。
【０１４８】
図２１は、メモリに記憶された必要なデータを説明するための図である。図２１に示すように、メモリ１５４は、ガイド作成部１６０にて使用される種々のガイダンスに対応するガイダンスデータ１６２、入力された音声に基づく文字或いは数字を、送信先のページャなどの機種に合致したコードに変換するためのコード変換テーブル１６４、及び、ユーザにより設定された定型文を登録する定型文登録テーブル１６６を含んでいる。
【０１４９】
さて、このように構成されたＰＨＳ端末１１２の動作につき、以下に説明する。図２２（ａ）は、この実施の形態にかかるＰＨＳ端末１１２の作動を示すフローチャートである。図２２（ａ）に示すように、ＰＨＳ装置１１２において、ガイド作成部１１２が、メモリ１５４中のガイダンスデータ１６２のうちの所定のものを読み出して、対応する音声をスピーカ４４から出力する（ステップ９０１）。このガイダンスは、たとえば、「送信するメッセージを入力してください。」というものであれば良い。
【０１５０】
次いで、入力した音声は、制御部１４８を介して、音声認識部５０に与えられる。音声認識部５０は、入力された音声を認識し、この文字列（文章）を構成する文字や数字を特定する（ステップ９０２）。このように、音声認識部５０による文字や数字の特定が終了することに応答して、ガイド作成部１６０は、他のガイダンスをスピーカ４４から出力する（ステップ９０３）。このガイダンスは、各種情報を設定するためのものである。この実施の形態において、設定すべき各種情報には、送信すべき情報の種別（メール或いはメッセージ：第１の実施の形態のメールモード或いはメッセージモードに対応する。）、メッセージ送信の場合の宛先であるページャなどの機種、送信先（宛先）のアドレス、送信時刻、優先度などが含まれる。
【０１５１】
たとえば、上記情報を設定する場合に、「メールを送信する場合には１を、メッセージを送信する場合には２を押してください。」、「送信先の機種を指定してください。」、「送信時刻を指定してください。」、「送信先のアドレスを入力してください。」など、種々のガイダンスがスピーカ４４から発せられる。
【０１５２】
このようなガイドに基づき、各種情報が設定されると（ステップ９０４）、制御部１４８は、メッセージ送信の場合の宛先であるページャの機種にしたがって、ステップ９０２にて特定された文字や数字を、所定のコードに変換する（ステップ９０５）。
【０１５３】
ページャやＰＨＳ端末において、文字や数字をコード化して送信して、これを、送信先（宛先）側のページャやＰＨＳ端末のディスプレイに表示できることが知られている。しかしながら、文字や数字のコードは、サービス業者により、さらには、ページャやＰＨＳ端末の機種により異なっている。このため、本実施の形態においては、ＰＨＳ端末１１２のメモリ１５４中にコード変換テーブル１６４を設け、上記実施の形態の場合のメッセージモードと同様に、ＰＨＳ端末１１２に入力された音声に基づく文字列を構成する文字や数字を、宛先のページャやＰＨＳ端末に対応するコードに変換している。図２３に示すように、コード変換テーブル１６４には、文字や数字の各々に、各業者および機種に応じたコードが対応付けられている。たとえば、ＰＨＳ端末１１２に入力され、音声認識にて認識された文字列が、“ＡＣ”であり、かつ、宛先のページャに対応する業者が「業者１」で、かつ、機種が「機種２」である場合には、変換後のコードは、“A12  C12”となる。
【０１５４】
このようにして、業者或いは機種に応じて得られたコードは、ユーザが送信を指示することに応答して送信される（ステップ９０６）。
【０１５５】
プロバイダシステム１８は、受け入れたデータのヘッダを参照して、これがメールであれば、メールサーバ１８が、回線網２２を介して、送信先の対応するメールサーバ２６にメールを転送するその一方、受け入れたデータが、ページャなどに送信すべきメッセージであれば、ページャ送信サーバ３６が、回線網２４を介して、対応するページャサービス業者の設備７０にメッセージを送信して、この送信先への転送を依頼する。これにより、送信先（宛先）のページャ７６に、ＰＨＳ端末１１２にて作成されたメッセージが伝達される。
【０１５６】
このように、本実施の形態によれば、ＰＨＳ端末１１２において、宛先のページャに対応する業者やその機種に応じて、入力された音声に基づく文字列を変換して、変換されたコードを出力する。したがって、ＰＨＳ端末１１２が加入している業者やその機種が、宛先のページャやＰＨＳ端末の業者や機種と異なる場合にも、適切に必要な情報を伝達することができる。
【０１５７】
さらに、本実施の形態においては、定型文をユーザ自身が登録することができ、かつ、この定型文が、業者或いは機種に応じて予め定められた定型文と一致する場合には、その情報を記憶しておくことも可能である。
【０１５８】
図２２（ｂ）は、本実施の形態にかかるＰＨＳ端末１１２の定型文の作成および登録を示すフローチャートである。ユーザが、所定のファンクションキー（図示せず）を操作して、たとえば、「定型文登録モード」を設定することにより、この処理は起動される。ユーザが所望の文章に対応する音声をマイクに与えると、この音声に対応する文字列を構成する文字および数字が音声認識部５０により特定される（ステップ９１１）。次いで、ユーザが定型文のナンバーを示す数字を、テンキー（図示せず）を用いて入力することにより、メモリ１５４中の所定の領域に、定型文ナンバーおよび対応する文字列が記憶される。
【０１５９】
ページャなどにおいては、文字や数字ごとに決められたコード（いわゆる、フリーメッセージ）のほかに、あるコードと定型文（メッセージ）とが予め定められている場合、たとえば、「１０」というコードと、「電話ください」というメッセージが予め対応付けられている場合がある。
【０１６０】
本実施の形態においては、コード変換テーブル１６４には、文字や数字に対応する、各業者、機種ごとのコードのほか、定型文（メッセージ）に対応する各業者、機種ごとのコードが記憶されている。そこで、ユーザにより登録された定型文が、各業者、機種ごとの定型文（メッセージ）のうち、一致するものがあるかどうかを判断し、一致するものがある場合には、ユーザにより設定された定型文と、ある業者、機種の定型文とを対応付け、この対応を示すデータをメモリ１５４の所定の領域に記憶する（ステップ９１２）。
【０１６１】
たとえば、ユーザが自己が作成した定型文を送信したい場合には、制御部１４８がメモリ１５４の定型文登録テーブル１６６から対応するものを読み出した後に、図２２（ａ）のステップ９０３ないしステップ９０６の処理を実行すれば良い。この場合に、定型文が、送信先のページャの対応する業者や機種のある定型文と対応付けられている場合には、コード変換の処理（ステップ９０５）を省略することが可能となる。
【０１６２】
このように、本実施の形態によれば、ユーザは、所望の定型文を作成して、これを登録することができ、これにより、ＰＨＳ端末の利便性をより向上させることが可能となる。
【０１６３】
本発明は、以上の実施の形態に限定されることなく、特許請求の範囲に記載された発明の範囲内で、種々の変更が可能であり、それらも本発明の範囲内に包含されるものであることは言うまでもない。
【０１６４】
たとえば、上記第１の実施の形態において、直接、他の加入電話、ＰＨＳ端末、携帯電話などを呼び出し、方言、抑揚、口調／声色に基づいて変換された音声を送信しても良い。
【０１６５】
また、第３の実施の形態にかかるＰＨＳ端末に、第１の実施の形態にかかる変換部を設け、方言、抑揚、口調／声色に基づく変換を実行できるようにしても良い。
【０１６６】
さらに、本発明は、ＰＨＳ端末に限らず、携帯電話や加入電話に適用できることは言うまでもない。また、電話に限らず、いわゆるモバイル端末などにも適用可能である。
【０１６７】
また、第１および第２の実施の形態において、「抑揚」には、抑揚には、「怒り」、「喜び」、「悲しみ」、「険悪」、「恐怖」が含まれたが、これに限定されるものではなく、「冷やかし」、「甘え」など、他の感情を示すものが含まれていても良い。
【０１６８】
さらに、本明細書において、手段とは必ずしも物理的手段を意味するものではなく、各手段の機能が、ソフトウェアによって実現される場合も包含する。さらに、一つの手段の機能が、二つ以上の物理的手段により実現されても、若しくは、二つ以上の手段の機能が、一つの物理的手段により実現されてもよい。
【０１６９】
【発明の効果】
本発明によれば、状況や用途に応じて、所望の情報を伝達することができる通信システムを提供することが可能となる。
【０１７０】
また、本発明によれば、受信側端末の機種などによらず、所望の情報を伝達できる通信システムを提供することが可能となる。
【図面の簡単な説明】
【図１】  本発明の第１の実施の形態にかかる通信システムの構成を示すブロックダイヤグラムである。
【図２】  本発明の第１の実施の形態にかかる、音声でメッセージを再生する場合の通信システムの構成を示すブロックダイヤグラムである。
【図３】  本発明の第１の実施の形態にかかる、文字でメッセージを送信する場合の通信システムの構成を示すブロックダイヤグラムである。
【図４】  本発明の第１の実施の形態にかかる、電子メールを送信する場合の通信システムの構成を示すブロックダイヤグラムである。
【図５】  第１の実施の形態にかかるＰＨＳ端末の構成を示すブロックダイヤグラムである。
【図６】  ボイスモードの下で第１の実施の形態にかかるＰＨＳ端末にて実行される処理を示すフローチャートである。
【図７】  メールモードの下で第１の実施の形態にかかるＰＨＳ端末にて実行される処理を示すフローチャートである。
【図８】  端末からメールサーバに送信される電子メールの内容の例である。
【図９】  メッセージを音声で再生する場合のメールサーバからの電子メールの内容の例である。
【図１０】  メッセージを電子メールに転送する場合のメールサーバからの電子メールの内容の例である。
【図１１】  メッセージを電子メールに転送する場合のメールサーバからの電子メールの内容の例である。
【図１２】  予めサーバに記録されている音色のフォーマットの例である。
【図１３】  本発明の第１の実施の形態の画面に基づく操作例である。
【図１４】  本発明の第１の実施の形態の画面に基づく操作例である（続き）。
【図１５】  本発明の第１の実施の形態の画面に基づく操作例である（続き）。
【図１６】  本発明の第１の実施の形態の画面に基づく操作例である（続き）。
【図１７】  本発明の第１の実施の形態の画面に基づく操作例である（続き）。
【図１８】  本発明の第２の実施の形態にかかるＰＨＳ端末およびプロバイダサーバにて実行される処理を示すフローチャートである。
【図１９】  本発明の第３の実施の形態にかかる通信システムの構成を示すブロックダイヤグラムである。
【図２０】  第３の実施の形態にかかるＰＨＳ端末の構成を示すブロックダイヤグラムである。
【図２１】  第３の実施の形態にかかるメモリに記憶されたデータを説明するための図である。
【図２２】  第３の実施の形態にかかるＰＨＳ端末１１２の作動を示すフローチャートである。
【図２３】  第３の実施の形態にかかるメモリ中のコード変換テーブルを説明する図である。
【符号の説明】
１０                    通信システム
１２                    ＰＨＳ端末
１４                    ＰＨＳ基地局
１６、２０、２２、２４  回線網
１８                    プロバイダシステム
４２                    送受信機
４８                    制御部
５０                    音声認識部
【図１】
0003884851.tif 000002
【図２】
0003884851.tif 000003
【図３】
0003884851.tif 000004
【図４】
0003884851.tif 000005
【図５】
0003884851.tif 000006
【図６】
0003884851.tif 000007
【図７】
0003884851.tif 000008
【図８】
0003884851.tif 000009
【図９】
0003884851.tif 000010
【図１０】
0003884851.tif 000011
【図１１】
0003884851.tif 000012
【図１２】
0003884851.tif 000013
【図１３】
0003884851.tif 000014
【図１４】
0003884851.tif 000015
【図１５】
0003884851.tif 000016
【図１６】
0003884851.tif 000017
【図１７】
0003884851.tif 000018
【図１８】
0003884851.tif 000019
【図１９】
0003884851.tif 000020
【図２０】
0003884851.tif 000021
【図２１】
0003884851.tif 000022
【図２２】
0003884851.tif 000023
【図２３】
0003884851.tif 000024